【事件の表示】
　特願２０１１−５５１０７６「高解像度ビデオコンテンツの強化方法及び装置」拒絶査定不服審判事件〔平成２２年　９月１０日国際公開、ＷＯ２０１０／１０１６１１、平成２４年　８月１６日国内公表、特表２０１２−５１８９４６〕について、次のとおり審決する。
【結　論】
　本件審判の請求は、成り立たない。
【理　由】
第１．手続の経緯
　
　本願は、２０１０年２月２４日（パリ条約による優先権主張外国庁受理２００９年３月５日、米国）を国際出願日とする出願であって、平成２５年３月１２日付けの拒絶理由通知に対し、平成２５年９月１３日付けで意見書・手続補正書が提出されたが、平成２５年１０月４日付けで拒絶査定がなされたものである。
　本件は、上記拒絶査定を不服として、平成２６年２月１０日付けで請求された拒絶査定不服審判であって、同日付けで手続補正がなされたものである。
　
第２．平成２６年２月１０日付けの手続補正についての補正却下の決定
　
［補正却下の決定の結論］
　平成２６年２月１０日付けの手続補正を却下する。
　
［理由］
１．補正の内容
　上記手続補正（以下、「本件補正」という。）は、本件補正前の平成２５年９月１３日付け手続補正書の特許請求の範囲の請求項８に記載された、
　
「高解像度ビデオコンテンツを強化するように構成された装置であって、
　元のフレーム解像度を有する複数の高解像度（ＨＤ）ビデオ画像フレームを受け取るための手段と、
　前記複数のＨＤビデオ画像フレームを、前記元のフレーム解像度の所定の倍数であるアップサイジングされたフレーム解像度にアップサンプリングするための手段と、
　前記アップサンプリングするための手段に電気的に結合されたローパスフィルタと、
　前記ローパスフィルタに電気的に結合された、前記複数のＨＤビデオ画像フレームをサブサンプリングするための手段と、
を備え、
　前記アップサンプリングするための手段、ローパスフィルタ、及びサブサンプリングするための手段は、ビデオ画像フレームを複数のブロックに分割したブロックごとに行うことを特徴とする装置。」
　
という発明を、平成２６年２月１０日付け手続補正書の特許請求の範囲の請求項８に記載された、
　
「高解像度ビデオコンテンツを強化するように構成された装置であって、
　元のフレーム解像度を有する複数の高解像度（ＨＤ）ビデオ画像フレームを受け取るための手段と、
　前記複数のＨＤビデオ画像フレームを、前記元のフレーム解像度の所定の倍数であるアップサイジングされたフレーム解像度にアップサンプリングするための手段と、
　前記アップサンプリングするための手段に電気的に結合されたローパスフィルタと、
　前記ローパスフィルタに電気的に結合された、前記複数のＨＤビデオ画像フレームをサブサンプリングするための手段と、
を備え、
　
前記ローパスフィルタは、前記複数のＨＤビデオ画像フレームの各エネルギー分布を、前記元のフレーム解像度に関連するナイキスト周波数よりも低い周波数範囲に集中させるものであり、
　前記アップサンプリングするための手段、ローパスフィルタ、及びサブサンプリングするための手段は、ビデオ画像フレームを複数のブロックに分割したブロックごとに行うことを特徴とする装置。」
　
という発明に補正することを含むものである。
　なお、下線は当審で付したものである。
　
２．補正の適法性について
　
　本件補正は、願書に最初に添付した明細書、特許請求の範囲又は図面に記載した事項の範囲内において、平成２５年９月１３日付け手続補正書の特許請求の範囲の請求項８に記載された「ローパスフィルタ」に関して、「前記ローパスフィルタは、前記複数のＨＤビデオ画像フレームの各エネルギー分布を、前記元のフレーム解像度に関連するナイキスト周波数よりも低い周波数範囲に集中させるもの」であることを限定して、特許請求の範囲を減縮するものである。
　
　したがって、本件補正は、特許法第１７条の２第５項第２号に規定された特許請求の範囲を減縮するものである。
　
３．独立特許要件について
　
　上記補正後の発明が、特許出願の際独立して特許を受けることができるものであるかどうかについて以下に検討する。
　
（１）補正後発明
　
　本願の請求項８に係る発明（以下、「補正後発明」という。）は、上記の本件補正後の特許請求の範囲の請求項８に記載された次のとおりのものと認める。
　なお、Ａ．〜Ｇ．については、説明のために当審にて付したものである。
（以下、「構成Ａ」、・・・、「構成Ｇ」という。）
　
「Ａ．高解像度ビデオコンテンツを強化するように構成された装置であって、
　Ｂ．元のフレーム解像度を有する複数の高解像度（ＨＤ）ビデオ画像フレームを受け取るための手段と、
　Ｃ．前記複数のＨＤビデオ画像フレームを、前記元のフレーム解像度の所定の倍数であるアップサイジングされたフレーム解像度にアップサンプリングするための手段と、
　Ｄ．前記アップサンプリングするための手段に電気的に結合されたローパスフィルタと、
　Ｅ．前記ローパスフィルタに電気的に結合された、前記複数のＨＤビデオ画像フレームをサブサンプリングするための手段と、
を備え、
　Ｆ．前記ローパスフィルタは、前記複数のＨＤビデオ画像フレームの各エネルギー分布を、前記元のフレーム解像度に関連するナイキスト周波数よりも低い周波数範囲に集中させるものであり、
　Ｇ．前記アップサンプリングするための手段、ローパスフィルタ、及びサブサンプリングするための手段は、ビデオ画像フレームを複数のブロックに分割したブロックごとに行う
ことを特徴とする装置。」
　
（２）刊行物１発明
　
　原審の拒絶理由に引用された、特開２００７−１５０５８１号公報（以下、「刊行物１」という。）には、「輪郭強調回路及び輪郭強調方法」として、図面とともに以下の事項が記載されている。
　
ア．「【０００１】
　本発明は、デジタル画像処理に関し、特にデジタル画像に生じるジャギーを低減しながら輪郭強調を行なう技術に関する。」
イ．「【０００６】
　以下に、デジタル画像データに輪郭強調を行なう場合の課題を説明する。この場合には、例えば、図８に示すような輪郭強調処理回路１０を用いることが多い。この輪郭強調処理回路１０では、輪郭強調成分を様々な手法により演算し、強度調整を行なった後、元の画像データから減算する処理を行なう。この信号処理の過程を図９に示す。この減算処理を行なった演算結果として元の画像データより大きいレベルや、元の画像データより小さいレベルが発生する。特に、映像レベルが高い信号或いは低い信号に輪郭強調を行なった場合には、画像データフォーマットにおいて表現できるダイナミックレンジを越える値が発生する場合がある。このため、演算後にフォーマット表現可能範囲のダイナミックレンジに変換する処理（クリッピング処理）が必要となる。
【０００７】
　図１０のような、振幅変化の大きく、変化の急峻な信号に対して輪郭強調を行なうと、先に述べたクリッピング処理が行なわれる。このクリッピング処理では、クリッピング前のピーク値が制限されることで、結果的に輪郭位置が移動するように見える。また、このような極端なクリッピング処理により、ナイキスト周波数を越える成分が発生することがあり、これも輪郭が不自然に見える原因となっている。これらのような原因で、図１１に示す斜め線に対して輪郭強調処理を行なった場合にはジャギーが発生する。
【０００８】
　本発明は、上述の問題点に鑑みてなされたものであり、ジャギーの発生を押さえる輪郭強調処理回路及び輪郭強調方法を提供することを目的とするものである。
【課題を解決するための手段】
【０００９】
  上記問題点を解決するために、請求項１に記載の発明は、インターポレータ手段、エッジ強調手段、クリッピング処理手段及びデシメータ手段を、直列接続したことを要旨とする。」
ウ．「【００１６】
　本発明によれば、ジャギー発生を抑制しながら、輪郭強調を実現することができる。」
エ．「【００１７】
　以下、本発明を具体化した実施形態を、図１〜図６に従って説明する。
　図１は、本実施形態の輪郭強調回路ＥＥの処理を概念的に説明した図である。ここでは、水平・垂直両方向の信号に対して輪郭強調処理が行なわれる。図１に示すように、輪郭強調回路ＥＥは、インターポレータ手段としてのインターポレータ回路（Interpolator）２１、エッジ強調手段としてのエッジ強調処理回路２２とクリッピング回路２３及びデシメータ手段としてのデシメータ回路（Decimator ）２４が直列に接続されて構成される。
【００１８】
　インターポレータ回路２１は、入力された信号に対して、補間処理を行なうことによりサンプリングレートを上げる。この結果、図２に示すように、入力信号Ｓ０に対して補間信号Ｓ１を挿入して、画像の画素数を上げる。」
オ．「【００２０】
　次に、デシメータ回路２４が、クリッピング処理が行なわれた信号に対して、間引きを行なうことによりサンプリングレートを下げるダウンサンプリング処理を実行する。このデシメータ回路２４は、ローパスフィルタとダウンサンプラとから構成される。ローパスフィルタ処理後にダウンサンプラは、ダウンサンプリングのためにｎ個間隔でピックアップする。これにより、入力された信号のサンプリングレートに戻し、元の画素数に戻す。この一連の処理で、ダウンサンプリングの前の信号に含まれる情報の内、ナイキスト周波数以下の成分のみが、ダウンサンプリング後のデータに残ることになる。」
カ．「【００２２】
　以上、本実施形態によれば、以下に示す効果を得ることができる。
　・　上記実施形態では、インターポレータ回路２１でアップサンプリングが行なわれることにより、デジタル信号の水平垂直方向の分解能が上がる。このため、輪郭強調処理後のオーバーシュート部分やアンダーシュート部分の水平垂直方向の分解能も向上する。これにより、オーバーシュート部分やアンダーシュート部分のクリッピング処理により生じるジャギーを抑制することができる。」
キ．「【００２５】
　なお、上記実施形態は、以下の態様に変更してもよい。
　○  上記実施形態では、インターポレータ回路２１は、４倍のアップサンプリングを行なうが、この倍率に限定されるものではない。例えば、２倍や８倍のアップサンプリングも可能である。特に、２倍の場合には、４倍のアップサンプリングに比べて、より簡易な回路構成で実現することができる。」
　
　このような事項を踏まえ、上記ア．〜キ．の記載及び関連する図面並びにこの分野における技術常識を考慮すると、
　
（ａ）刊行物１には、上記ア．〜ウ．に記載があるように、デジタル画像に生じるジャギーを低減しながら輪郭強調を行うために、インターポレータ手段、エッジ強調手段、デシメータ手段を接続した回路について記載がある。
　
（ｂ）上記イ．の段落【０００６】及び図８の記載から、従来の輪郭強調処理回路には、デジタル映像信号が入力されており（図８）、上記エ．及び図１における輪郭強調回路は、従来の輪郭強調処理回路を改良したものであるから、該輪郭強調回路のインターポレータ回路に入力される入力信号も、デジタル映像信号である。
　すなわち、刊行物１の回路は、デジタル映像信号を輪郭強調する回路である。
　
（ｃ）上記（ｂ）にて検討したように、刊行物１の回路は、デジタル映像信号が入力されるものであるから、デジタル映像信号を受け取る手段を有するものである。
　
（ｄ）上記エ．、カ．、キ．の記載から、刊行物１の回路は、デジタル映像信号を、２倍のアップサンプリングを行って画素数を上げるインターポレータ回路を有するものである。
　
（ｅ）上記オ．の記載から、刊行物１の回路は、アップサンプリングを行った信号にローパスフィルタ処理を行うローパスフィルタ、ローパスフィルタ処理後に入力された信号のサンプリングレートに戻し、元の画素数に戻すダウンサンプラを有するものである。
　
（ｆ）上記オ．には、「この一連の処理で、ダウンサンプリングの前の信号に含まれる情報の内、ナイキスト周波数以下の成分のみが、ダウンサンプリング後のデータに残ることになる。」と記載されている。ここで、一連の処理は、ローパスフィルタとダウンサンプラの処理から構成されているが、技術常識に照らせば、ローパスフィルタは、所定周波数以下の成分のみを通過させる処理を行うものであり、ダウンサンプラは、画素数を減らす処理を行うものであるから、「ナイキスト周波数以下の成分のみが、ダウンサンプリング後のデータに残る」ようにするのは、ローパスフィルタが行っているものである。
　すなわち、刊行物１のローパスフィルタは、ナイキスト周波数以下の成分のみが、ダウンサンプリング後のデータに残るようにするものである。
　
　そうすると、刊行物１には以下の発明（以下、「刊行物１発明」という。）が開示されている。
　なお、ａ．〜ｆ．については、説明のために当審にて付したものである。
（以下、「構成ａ」、・・・、「構成ｆ」という。）
　
［刊行物１発明］
　
「ａ．デジタル映像信号を輪郭強調する回路であって、
　ｂ．デジタル映像信号を受け取る手段と、
　ｃ．デジタル映像信号を、２倍のアップサンプリングを行って画素数を上げるインターポレータ回路と、
　ｄ．アップサンプリングを行った信号にローパスフィルタ処理を行うローパスフィルタと、
　ｅ．ローパスフィルタ処理後に入力された信号のサンプリングレートに戻し、元の画素数に戻すダウンサンプラと、
を備え、
　ｆ．前記ローパスフィルタは、ナイキスト周波数以下の成分のみが、ダウンサンプリング後のデータに残るようにするものである回路。」
　
（３）補正後発明と刊行物１発明との対比と一致点・相違点の認定
　
ア．対比
　
（ア−１）刊行物１発明の「デジタル映像信号」は、複数の連続するフレームから構成されていることは技術常識であり、また、このような複数の連続するフレームから構成されている映像信号は、ビデオコンテンツを構成するものであるから、補正後発明のように「高解像度（ＨＤ）」であるかは特定されていないものの、刊行物１発明の「デジタル映像信号」と、補正後発明の「高解像度ビデオコンテンツ」、「複数の高解像度（ＨＤ）ビデオ画像フレーム」、「複数のＨＤビデオ画像フレーム」は、「デジタルビデオコンテンツ」、「複数のデジタルビデオ画像フレーム」、「複数のデジタルビデオ画像フレーム」である点で共通する。
　
（ア−２）刊行物１発明の「回路」は、補正後発明の「装置」に対応する。
　
（ア−３）刊行物１発明の構成ａにおいて、輪郭強調は、画像のぼけを改善し鮮明にすることにより、画像をより良くするものである。したがって、構成ａの「輪郭強調」は、補正後発明の構成Ａの「強化する」に対応する（なお、「強化する」は、原文のenhancementを訳したものであるが、enhancementとは、画像に関連する言葉と共に用いられた場合には、画像の改善や向上を意味する。）。
　したがって、刊行物１発明の構成ａと、補正後発明の構成Ａは、（ア−１）を考慮すると、「デジタルビデオコンテンツを強化するように構成された装置」である点で共通する。
　
（ア−４）刊行物１発明の構成ｂにおける、デジタル映像信号のフレーム解像度は、アップサンプリングする前の段階であるから、元のフレーム解像度である。
　したがって、刊行物１発明の構成ｂと、補正後発明の構成Ｂは、（ア−１）を考慮すると、「元のフレーム解像度を有する複数のデジタルビデオ画像フレームを受け取るための手段」である点で共通する。
　
（ア−５）刊行物１発明の構成ｃのインターポレータ回路は、「２倍のアップサンプリングを行って画素数を上げ」ていることから、元のフレーム解像度の２倍という所定の倍数でアップサイジングされたフレーム解像度にアップサンプリングされており、刊行物１発明の構成ｃと、補正後発明の構成Ｃは、（ア−１）を考慮すると、「前記複数のデジタルビデオ画像フレームを、前記元のフレーム解像度の所定の倍数であるアップサイジングされたフレーム解像度にアップサンプリングするための手段」である点で共通する。
　
（ア−６）刊行物１発明の構成ｄのローパスフィルタは、アップサンプリングを行った信号にローパスフィルタ処理を行うのであるから、インターポレータ回路すなわちアップサンプリングするための手段とローパスフィルタは、電気的に結合されている。
　したがって、刊行物１発明の構成ｄと、補正後発明の構成Ｄは、「前記アップサンプリングするための手段に電気的に結合されたローパスフィルタ」である点で一致する。
　
（ア−７）刊行物１発明の構成ｅのダウンサンプラは、ローパスフィルタ処理後に処理を行うものであるから、ローパスフィルタに電気的に結合されたものである。
　また、刊行物１発明において、「入力された信号のサンプリングレートに戻し、元の画素数に戻」すということは、サブサンプリングしていることである。
　したがって、刊行物１発明の構成ｅと、補正後発明の構成Ｅは、（ア−１）を考慮すると、「前記ローパスフィルタに電気的に結合された、前記複数のデジタルビデオ画像フレームをサブサンプリングするための手段」である点で共通する。
　
（ア−８）刊行物１発明の構成ｆのローパスフィルタは、ダウンサンプリング後のデータにナイキスト周波数を越える成分が発生することにより、不自然に見えることを防ぐため（上記イ．の段落【０００７】）に備えられているものである。
　そうすると、刊行物１発明の「ナイキスト周波数」は、ダウンサンプラによる処理後のデジタル映像信号、すなわち、最初に入力されたデジタル映像信号のナイキスト周波数を指すので、補正後発明の「前記元のフレーム解像度に関連するナイキスト周波数」に対応する。
　そして、刊行物１発明の「成分」は、映像信号における各周波数のエネルギーを指すので、刊行物１発明の「成分」と、補正後発明の「前記複数のＨＤビデオ画像フレームの各エネルギー分布」とは、（ア−１）を考慮すると、「前記複数のデジタルビデオ画像フレームの各エネルギー分布」である点で共通する。
　また、補正後発明の「低い周波数範囲に集中させる」とは、本願の段落【００１８】、段落【００３２】、【図１Ａ】〜【図２Ｂ】の記載や、ローパスフィルタの特性から考えるに、ＨＤビデオ画像フレームのエネルギー分布を、低い周波数のみにすることである。
　したがって、刊行物１発明の構成ｆと、補正後発明の構成Ｆは、（ア−１）を考慮すると、「前記ローパスフィルタは、前記複数のデジタルビデオ画像フレームの各エネルギー分布を、前記元のフレーム解像度に関連するナイキスト周波数よりも低い周波数範囲に集中させるものであ」る点で共通する。
　
（ア−９）刊行物１発明のインターポレータ回路、ローパスフィルタ、及びダウンサンプラは、どのような単位で処理を行うか特定されていないのに対し、補正後発明の構成Ｇは、前記アップサンプリングするための手段、ローパスフィルタ、及びサブサンプリングするための手段は、「ビデオ画像フレームを複数のブロックに分割したブロックごとに行う」ものである点で相違する。
　
イ．一致点・相違点
　
　したがって、刊行物１発明と補正後発明は、以下の点で一致ないし相違する。
　
［一致点］
「デジタルビデオコンテンツを強化するように構成された装置であって、
　元のフレーム解像度を有する複数のデジタルビデオ画像フレームを受け取るための手段と、
　前記複数のデジタルビデオ画像フレームを、前記元のフレーム解像度の所定の倍数であるアップサイジングされたフレーム解像度にアップサンプリングするための手段と、
　前記アップサンプリングするための手段に電気的に結合されたローパスフィルタと、
　前記ローパスフィルタに電気的に結合された、前記複数のデジタルビデオ画像フレームをサブサンプリングするための手段と、
を備え、
　前記ローパスフィルタは、前記複数のデジタルビデオ画像フレームの各エネルギー分布を、前記元のフレーム解像度に関連するナイキスト周波数よりも低い周波数範囲に集中させるものであることを特徴とする装置。」
　
［相違点］
　相違点１
　「デジタルビデオコンテンツ」、「複数のデジタルビデオ画像フレーム」に関して、補正後発明は、「高解像度ビデオコンテンツ」、「複数の高解像度（ＨＤ）ビデオ画像フレーム（もしくは、複数のＨＤビデオ画像フレーム）」であるのに対し、刊行物１発明では、「デジタル映像信号」である点。
　
　相違点２
　「前記アップサンプリングするための手段、ローパスフィルタ、及びサブサンプリングするための手段」は、補正後発明が「ビデオ画像フレームを複数のブロックに分割したブロックごとに行う」のに対し、刊行物１発明は、そのような特定がなされていない点。
　
ウ．当審の判断
　
　上記相違点について検討する。
　
（ウ−１）相違点１について
　ＨＤビデオが、デジタル映像として周知のものである以上、刊行物１発明のデジタル映像信号において、周知のＨＤビデオを適用し、「高解像度ビデオコンテンツ」、「複数の高解像度（ＨＤ）ビデオ画像フレーム（もしくは、複数のＨＤビデオ画像フレーム）」とすることは、当業者が容易に想到し得るものである。
　
（ウ−２）相違点２について
　原審の拒絶査定にて周知例として引用された特開２００７−１１０４１９号公報（以下、「刊行物２」という。）には、メモリ容量の低減化を図るため、画像をブロックに分割し、ブロック単位で処理を行うこと（例えば段落【０００４】）が開示されている。
　画像を処理する装置において、処理する画像が大きく高精細であればあるほど、処理のために、容量の大きなメモリが必要となるが、装置を作成する際のコスト低減や装置の小型化等により、搭載できるメモリの容量には限界がある。
　したがって、刊行物１発明のインターポレータ回路、ローパスフィルタ、及びダウンサンプラにおいて、本来必要なメモリ容量よりも小さなメモリ容量でも処理を行うことができるようにすることは、当然考慮すべき事項であり、メモリ容量を低減したいと考えた場合に、上記周知例の構成（メモリ容量の低減化を図るため、画像をブロックに分割し、ブロック単位で処理を行うこと）を適用し、「前記アップサンプリングするための手段、ローパスフィルタ、及びサブサンプリングするための手段は、ビデオ画像フレームを複数のブロックに分割したブロックごとに行う」ようにすることは、当業者が容易に想到し得るものである。
　
　よって、各相違点については格別のものではなく、補正後発明に関する作用・効果も、刊行物１発明から当業者が予測できる範囲のものである。
　
　したがって、補正後発明は、刊行物１発明と刊行物２に記載されたような周知慣用の技術に基づいて、当業者が容易に発明することができたものであり、特許法第２９条第２項の規定により特許出願の際独立して特許を受けることができないものである。
　
　以上のとおり、本件補正は、特許法第１７条の２第６項において準用する同法１２６条第７項の規定に違反するので、同法第１５９条第１項の規定において読み替えて準用する同法第５３条第１項の規定により却下すべきものである。
　
第３．本願発明について
　
１．本願発明
　
　平成２６年２月１０日付けの手続補正は上記のとおり却下されたので、本願の請求項１ないし２１に係る発明は、平成２５年９月１３日付け手続補正書の特許請求の範囲の請求項１ないし２１に記載された事項により特定されるものであるところ、その請求項８に係る発明（以下、「本願発明」という。）は、次のとおりのものである。
　
「Ａ．高解像度ビデオコンテンツを強化するように構成された装置であって、
　Ｂ．元のフレーム解像度を有する複数の高解像度（ＨＤ）ビデオ画像フレームを受け取るための手段と、
　Ｃ．前記複数のＨＤビデオ画像フレームを、前記元のフレーム解像度の所定の倍数であるアップサイジングされたフレーム解像度にアップサンプリングするための手段と、
　Ｄ．前記アップサンプリングするための手段に電気的に結合されたローパスフィルタと、
　Ｅ．前記ローパスフィルタに電気的に結合された、前記複数のＨＤビデオ画像フレームをサブサンプリングするための手段と、
を備え、
　Ｇ．前記アップサンプリングするための手段、ローパスフィルタ、及びサブサンプリングするための手段は、ビデオ画像フレームを複数のブロックに分割したブロックごとに行う
ことを特徴とする装置。」
　
２．刊行物１発明
　
　原審の拒絶理由に引用された刊行物１、及び、その記載事項は、前記第２．３．（２）に記載したとおりである。
　
３．対比・判断
　
　本願発明は、前記第２．３．で検討した補正後発明における
「Ｆ．前記ローパスフィルタは、前記複数のＨＤビデオ画像フレームの各エネルギー分布を、前記元のフレーム解像度に関連するナイキスト周波数よりも低い周波数範囲に集中させるものであり、」
という限定事項を省いたものである。
　そうすると、本願発明の特定事項を全て含み、さらに他の特定事項を付加したものに相当する補正後発明が前記第２．３．に記載したとおり、刊行物１に記載された発明と、刊行物２に記載されたような周知慣用の技術に基づいて、当業者が容易に発明することができたものであるから、本願発明も、同様の理由により、刊行物１に記載された発明と、刊行物２に記載されたような周知慣用の技術に基づいて、当業者が容易に発明することができたものである。
　
第４．まとめ
　
　以上のとおり、本願の請求項８に係る発明は、刊行物１に記載された発明と、刊行物２に記載されたような周知慣用の技術に基づいて、当業者が容易に発明することができたものであるから、特許法第２９条第２項の規定により特許を受けることができない
　したがって、本願は、その余の請求項について言及するまでもなく、拒絶すべきものである。
　よって、結論の通り審決する。